(57)【要約】【課題】レンズホルダ（鏡筒）をレンズ保持装置に接着剤で固定するにあたり、滴だれや脱落などを生ぜずにしっかりと固定することのできる、レンズ保持装置を提供することが課題である。【解決手段】筒状に形成されてレンズホルダをその内側に保持する保持部材を備え、レンズホルダ外周とレンズ保持部材内周とを接着によって固定するレンズ保持装置において、レンズホルダ外周とレンズ保持部材内周とにおける接着面の何れか、若しくは両方に、螺旋形状の凹凸を設けて接着剤の滴だれを防ぎ、強固にレンズホルダをレンズ保持装置に接着すると共に、螺旋形状の凹凸部の接着を剥離させることで、レンズホルダをレンズ保持装置から分離させることも可能とした。【選択図】図１
2009031694.tif 000002
【特許請求の範囲】
【請求項１】
レンズを収容したレンズホルダと、
筒状に形成されて前記レンズホルダをその内側に保持する保持部材と、を備え、
前記レンズホルダ外周と前記保持部材内周とを接着によって固定するレンズ保持装置において、
前記レンズホルダ外周と前記保持部材内周とにおける接着面の何れか若しくは両方に、螺旋形状の凹凸を設けたことを特徴とするレンズ保持装置。
【請求項２】
レンズを収容したレンズホルダと、
筒状に形成されて前記レンズホルダをその内側に保持する保持部材と、を備え、
前記レンズホルダ外周と前記保持部材内周とを接着によって固定するレンズ保持装置において、
前記レンズホルダ外周と前記保持部材内周とにおける接着面の何れか一方に螺旋形状の凹凸を、他方に環状の凹凸、若しくは環状の凹または凸形状を設けたことを特徴とするレンズ保持装置。
【請求項３】
前記環状の凹凸、若しくは環状の凹または凸形状は、周方向の一部に平坦部が設けられていることを特徴とする請求項２に記載したレンズ保持装置。
【請求項４】
前記レンズホルダ外周における螺旋形状接着面を前記レンズの光軸方向被写体側のみに設け、前記レンズホルダ外周における保持装置側の面を前記螺旋形状凹部における径より小さい径としたことを特徴とする請求項１乃至３のいずれかに記載したレンズ保持装置。
【請求項５】
前記レンズホルダは光軸を中心とした回転力を受ける回転力受け部が設けられたことを特徴とする請求項１乃至４のいずれかに記載したレンズ保持装置。
【請求項６】
前記接着に用いる接着剤は、遮光性の高いものであることを特徴とする請求項１乃至５のいずれかに記載したレンズ保持装置。
【発明の詳細な説明】
【技術分野】
【０００１】
本発明は、レンズを収容して光軸調整したレンズ鏡筒を、例えば撮像素子を有するデジタルカメラなどの筐体に固定するためのレンズ保持装置に係り、特に、レンズ鏡筒を、接着剤の滴だれや脱落を起こすことなく固着させることができるレンズ保持装置に関するものである。
【背景技術】
【０００２】
図６に示したように、複数のレンズ１１１を収容して光軸調整したレンズ鏡筒１１０を、例えば撮像素子１２１を配したデジタルカメラなどの、筐体１２２におけるレンズ保持装置１２０への固定は、従来から接着剤１００が用いられている。
【０００３】
しかしながら、レンズ鏡筒１１０とレンズ保持装置１２０における内径とのクリアランスが大きい場合、また光軸調整によるレンズ鏡筒１１０の偏芯などにより、極端な場合、レンズ鏡筒１１０まわりのクリアランスが不均一となって矢印１０１で示したように、接着剤１００が滴だれを起こし、接着剤が硬化前に例えば撮像素子１２１を保護しているガラス１２３や、フィルター面などに流れ出て汚してしまうことがあった。
【０００４】
また、温度変化によって膨張・収縮したり、落下等によって衝撃が加わった場合、接着部が剥離してレンズ鏡筒１１０がレンズ保持装置１２０から脱落し、レンズ鏡筒１１０の結像機能が失われて以降の撮影等が全く行えなくなったり、修理に多大の時間やコストが必要となる場合がある。これは、接着面から比較的容易に接着剤が剥離するためであり、光学レンズの重量が大きいものや接着面積の小さいもので特に起こりやすい。
【０００５】
こういったことを防止するため例えば特許文献１には、半導体レーザを保持して光学箱にビス止めされている鏡筒に、コリメータレンズホルダなどを紫外線硬化型の接着剤で固定するにあたり、偏りや滴だれ等が生じるため、鏡筒におけるレンズホルダを固定する部分の表面を粗面化し、塗布した未硬化の紫外線硬化型の接着剤が、均一に分散させられるようにした技術が開示されている。
【０００６】
【特許文献１】特開平８−１３６８４３号公報
【発明の開示】
【発明が解決しようとする課題】
【０００７】
しかしながらこの特許文献１に示された技術では、鏡筒におけるレンズホルダを固定する部分の表面が粗面化されているものの、レンズホルダの方はなんら処理がなされていないから滴だれが起こる可能性は残り、また、温度変化によって膨張・収縮したり、落下等によって衝撃が加わった場合、レンズホルダ側の接着が剥離するとレンズホルダが脱落し、前記した破損や光軸を狂わせてしまうなどの問題が生じる可能性がある。
【０００８】
そのため本発明においては、レンズホルダ（鏡筒）をレンズ保持装置に接着剤で固定するにあたり、接着時の滴だれや接着後のレンズホルダ脱落などを生ぜずにしっかりと固定することができ、かつ、接着後も解体が可能で、再調整や再利用を可能とする、レンズ保持装置を提供することが課題である。
【課題を解決するための手段】
【０００９】
上記課題を解決するため本発明のレンズ保持装置は、
レンズを収容したレンズホルダと、
筒状に形成されて前記レンズホルダをその内側に保持する保持部材と、を備え、
前記レンズホルダ外周と前記保持部材内周とを接着によって固定するレンズ保持装置において、
前記レンズホルダ外周と前記保持部材内周とにおける接着面の何れか若しくは両方に、螺旋形状の凹凸を設けたことを特徴とする。
【００１０】
また同様に、
レンズを収容したレンズホルダと、
筒状に形成されて前記レンズホルダをその内側に保持する保持部材と、を備え、
前記レンズホルダ外周と前記保持部材内周とを接着によって固定するレンズ保持装置において、
前記レンズホルダ外周と前記保持部材内周とにおける接着面の何れか一方に螺旋形状の凹凸を、他方に環状の凹凸、若しくは環状の凹または凸形状を設けたことを特徴とする。
【００１１】
このようにレンズ保持装置を構成することで、螺旋形状部や環状の凹凸、若しくは環状の凹または凸形状部が接着剤溜りとなり、接着剤が他の部分へ滴だれすることを防止することができる。また、接着後は、例え温度変化によって膨張・収縮したり、落下等によって衝撃が加わって接着部が剥離しても、螺旋形状部や環状の凹凸、若しくは環状の凹または凸形状部が螺合した状態となるため、保持部材はしっかりとレンズホルダを保持し、容易にレンズホルダと保持部材とを分離させないから、レンズホルダが外れて破損したり光軸を狂わせてしまう、といった事故を防止することができる。それにもかかわらず力を加えて螺旋形状部の接着を剥離させると、レンズホルダを螺旋形状部に沿って回転させることで、レンズホルダと保持部材とを容易に分離させることができ、レンズホルダに収容されたレンズの再調整や再利用なども容易に行うことができる。
【００１２】
そして、前記環状の凹凸、若しくは環状の凹または凸形状は、周方向の一部に平坦部が設けられていることで、もしこの環状の凹凸、若しくは環状の凹または凸形状部の接着が剥離しても、この環状の凹凸、若しくは環状の凹または凸形状部は回転することがなく、前記したように螺旋形状部の接着を剥離することでレンズホルダと保持部材とを分離させることができる。
【００１３】
また、前記レンズホルダ外周における螺旋形状接着面を前記レンズの光軸方向被写体側のみに設け、前記レンズホルダ外周における保持装置側の面を前記螺旋形状凹部における径より小さい径として、接着部に相当する部分だけ螺旋形状部を設けることで、レンズホルダの金型の加工がそれだけ少なくて済み、また、レンズホルダ外周における保持装置側の面を螺旋形状凹部における径より小さい径とすることで、レンズホルダと保持部材とを分離させる場合も螺旋形状部以外が引っかかることなく実施することができる。
【００１４】
さらに、前記レンズホルダは光軸を中心とした回転力を受ける回転力受け部が設けられたことで、レンズホルダに収容されたレンズの再調整や再利用なども容易に行うことができる。
【００１５】
また、前記接着に用いる接着剤は、遮光性高いものであることにより、装置内部への光の侵入を遮る効果があり、レンズ保持装置として好適な形態とすることができる。
【発明の効果】
【００１６】
以上記載のごとく本発明によれば、レンズホルダと保持部材との接着にあたり、接着剤の滴だれを効果的に防ぎ、また、接着後は接着部が剥離しても、螺旋形状部や環状の凹凸、若しくは環状の凹または凸形状部が螺合した状態となるため、保持部材はしっかりとレンズホルダを保持し、容易にレンズホルダと保持部材とを分離させないから、レンズホルダを落下させて破損させたり光軸が狂うといった事故を防止することができる。しかも、螺旋形状部の接着を剥離させると螺旋形状部に沿ってレンズホルダを回転させることができ、レンズホルダと保持部材とを分離させることも可能となるから、レンズホルダに収容されたレンズの再調整や再利用なども容易に行うことができるレンズ保持装置とすることができる。
【発明を実施するための最良の形態】
【００１７】
以下、図面を参照して本発明の好適な実施例を例示的に詳しく説明する。但しこの実施例に記載されている構成部品の寸法、その相対的配置等はこの発明の範囲をそれに限定する趣旨ではなく、単なる説明例に過ぎない。
【実施例１】
【００１８】
図１は、本発明になるレンズ保持装置における実施例１の概略断面図である。図中１０はレンズ１１を収容したレンズ鏡筒（レンズホルダ）、１２はこのレンズ鏡筒１０のレンズ保持部（保持部材）２０と接着する外周部に螺旋形状凹凸として設けた螺旋形状溝部で、この螺旋形状溝部１２は、鏡筒１０の外周部にネジ状に設けられている。１３はレンズ鏡筒１０のレンズ保持部２０側となる面である。
【００１９】
また２０は、このレンズ鏡筒１０を保持するためのレンズ保持部で、この場合は一例として例えば筐体２２に撮像素子２１を有するデジタルカメラにレンズ鏡筒１０を固定する場合であり、２３は、レンズ鏡筒１０の外周部に設けた螺旋形状溝部１２と同様、このレンズ保持部２０の内周にネジ状に設けられた螺旋形状溝部である。
【００２０】
このうちレンズ鏡筒１０は、レンズ保持部２０内で光軸調整に際して動かすため、レンズ鏡筒１０の外径とレンズ保持部２０の内径との差が、この光軸調整によりレンズ鏡筒１０が動く距離以上となるよう設定されている。そのため螺旋形状部１２と２３とは、レンズ鏡筒１０の光軸調整ができればその時に例え両者が接触してもよく、また、螺旋形状部１２と２３のピッチや方向（右巻き、左巻き）は一致している必要はない。
【００２１】
このようにレンズ鏡筒１０における外周と、レンズ保持部２０の内周に螺旋形状溝部１２、２３を設けることで、例えば粘度が３，０００〜５５，０００Ｐａ・ｓの紫外線硬化型の接着剤１００を用いて接着すると、この接着剤１００はその粘度によって螺旋形状溝部１２、２３の間に溜まり、滴だれを起こすことがない。また、接着剤１００が硬化した後は、例え温度変化によって膨張・収縮したり、落下等によって衝撃が加わって接着部が剥離しても、接着剤１００が螺旋形状溝部１２、２３の形状で固まっているから、しっかりとレンズ鏡筒１０を保持したままとなってレンズ鏡筒１２とレンズ保持部２０とを分離することは困難であり、レンズ鏡筒１０が落下して破損したり光軸が狂うといった事故を防止することができる。
【００２２】
しかも、このように強固にレンズ鏡筒１０とレンズ保持部２０とが固定されるにもかかわらず、螺旋形状溝部２３の接着を剥離すると、接着剤１００を付けたままレンズ鏡筒１０を回転させることで、レンズ鏡筒１０が螺旋形状溝部２３の螺旋形状溝部によって回転し、レンズ保持部２０から分離させることができる。従って、レンズ鏡筒１０に収容されたレンズ１１の再調整や再利用が必要な場合も、容易にそれを行うことができる。
【００２３】
なお、螺旋形状溝部１２、２３における凹凸の形状、幅、深さ、本数などは、要求される接着強度や全体の大きさ等の条件により決められ、図示したものだけに限られないことは自明であり、それは以下の実施例においても同様である。
【実施例２】
【００２４】
図２は、本発明になるレンズ保持装置における実施例２のレンズ鏡筒３０の斜視図（Ａ）と、そのレンズ鏡筒３０を固定するレンズ保持部４０を備えた装置の一例の概略断面図（Ｂ）である。この図２に示したレンズ３１を収容したレンズ鏡筒３０は、外周部全体に、レンズ保持部４０の内周に接着する螺旋形状凹凸からなるネジ状の螺旋形状溝部３２を設けてある。
【００２５】
レンズ保持部４０は、前記と同様、一例として、筐体４２に撮像素子４１を有するデジタルカメラに設けられてレンズ鏡筒３０を固定する構造体であり、４３は、レンズ鏡筒３０の外周部に設けた螺旋形状溝部３２と同様、このレンズ保持部４０の内周にネジ状に設けられた螺旋形状溝部である。
【００２６】
このうちレンズ鏡筒３０は、前記したようにレンズ保持部４０内で光軸調整に際して動かすため、レンズ鏡筒３０の外径とレンズ保持部４０の内径との差が、この光軸調整によりレンズ鏡筒３０が動く距離以上となるよう設定されている。そのため螺旋形状部３２と４３とは、レンズ鏡筒３０の光軸調整ができればその時に例え両者が接触してもよく、また、螺旋形状部３２と４３のピッチや方向（右巻き、左巻き）は一致している必要はない。
【００２７】
このレンズ鏡筒３０とレンズ保持部４０の接着に用いる接着剤１００は、前記と同様粘度が３，０００〜５５，０００Ｐａ・ｓの紫外線硬化型の接着剤１００を用いることで、粘度によって接着剤１００が螺旋形状溝部３２、４３の間に溜まり、滴だれを起こすことがない。また、接着剤１００が硬化した後は、例え温度変化によって膨張・収縮したり、落下等によって衝撃が加わって接着部が剥離しても、接着剤１００が螺旋形状溝部３２、４３の形状で固まっていてレンズ鏡筒３０とレンズ保持部４０とを分離させることは困難であり、レンズ鏡筒３０がレンズ保持部４０から離れて落下し、破損したり光軸が狂うといった事故を防止することができる。
【００２８】
しかも、このように強固にレンズ鏡筒３０とレンズ保持部４０とが固定されるにもかかわらず、前記図１に示した実施例１の場合とは異なり、螺旋形状溝部３２、４３のどちらかの接着を剥離させると、レンズ鏡筒３０を回転させるだけでレンズ鏡筒３０が螺旋形状溝部３２、または４３の接着が剥離した方の螺旋形状溝部によって回転し、レンズ保持部４０から分離させることができる。従って、レンズ鏡筒３０に収容されたレンズ３１の再調整が必要な場合も、容易にそれを行うことができる。
【００２９】
前記図１に示した実施例１のレンズ鏡筒１０では、レンズ鏡筒１０のレンズ保持部２０と接着する外周部に設けた螺旋形状凹凸１２の凸部の外径は、レンズ鏡筒１０における図上、下側となるレンズ保持部２０側の面１３と同一の外径となっている。そのため、例えば螺旋形状溝部１２側の接着が剥離した場合、レンズ鏡筒１０は、レンズ保持部２０側の面１３が邪魔して上側に移動することができず、レンズ鏡筒１０とレンズ保持部２０とを分離させることができない。しかし図２に示した実施例２のレンズ鏡筒３０では、図１の鏡筒１０における１３に相当する部分にも螺旋形状溝部３２が設けられているから、レンズ鏡筒３０を回転させることでレンズ鏡筒３０とレンズ保持部４０とを分離させることができる。
【実施例３】
【００３０】
図３は、本発明になるレンズ保持装置における実施例３のレンズ鏡筒５０の斜視図（Ａ）と、そのレンズ鏡筒５０を固定するレンズ保持部４０を備えた装置の一例の概略断面図（Ｂ）である。この図３に示したレンズ５１を収容したレンズ鏡筒５０は、外周部における被写体側に、レンズ保持部４０の内周に接着する螺旋形状凹凸からなるネジ状の螺旋形状溝部５２が設けられ、レンズ保持部４０側の面５３の外径は、ネジ状の螺旋形状溝部５２における凹部外径よりも小さくなるようにしてある。なお、この実施例３のレンズ保持部４０と筐体４２、螺旋形状溝部４３は、図２に示した実施例２のレンズ保持部４０と同様のものであるため説明は省略する。
【００３１】
このうちレンズ鏡筒５０は、前記したようにレンズ保持部４０内で光軸調整に際して動かすため、レンズ鏡筒５０における螺旋形状溝部５２の外径とレンズ保持部４０の内径との差が、この光軸調整によりレンズ鏡筒５０が動く距離以上となるよう設定されている。そのため螺旋形状部５２と４３とは、レンズ鏡筒５０の光軸調整ができればその時に例え両者が接触してもよく、また、螺旋形状部５２と４３のピッチや方向（右巻き、左巻き）は一致している必要はない。
【００３２】
このレンズ鏡筒５０とレンズ保持部４０の接着に用いる接着剤１００は、前記実施例１や実施例２で用いたものと同じものであり、粘度によって接着剤１００が螺旋形状溝部５２、４３の間に溜まり、滴だれを起こすことがない。また、これも前記と同様、接着剤１００が硬化した後は、レンズ鏡筒１０がレンズ保持部２０から離れて落下し、破損したり光軸が狂うといった事故を防止することができる。
【００３３】
また、レンズ鏡筒５０は、外周部における被写体側に螺旋形状凹凸からなるネジ状の螺旋形状溝部５２が設けられ、レンズ保持部４０側の面５３の外径は、ネジ状の螺旋形状溝部５２における凹部外径よりも小さくなるようにしてあり、前記図２に示した実施例２の場合と同様、レンズ鏡筒５０を回転させるだけでレンズ鏡筒５０とレンズ保持部４０とを分離させることができる。従って、レンズ鏡筒３０に収容されたレンズ３１の再調整が必要な場合も、容易にそれを行うことができる。
【実施例４】
【００３４】
図４は、本発明になるレンズ保持装置における実施例４のレンズ鏡筒６０の斜視図（Ａ）と、そのレンズ鏡筒６０を固定するレンズ保持部４０を備えた装置の一例の概略断面図（Ｂ）である。この図４に示したレンズ６１を収容したレンズ鏡筒６０は、レンズ保持部４０と接着する部位に環状の凹または凸形状６２が設けられ、またその環状の凹または凸形状６２は周方向の一部に平坦部６４が設けられている。なお、この実施例４のレンズ保持部４０と筐体４２、螺旋形状溝部４３は、前記図２に示した実施例２のレンズ保持部４０と同様のものとしてある。
【００３５】
このレンズ鏡筒６０とレンズ保持部４０の接着に用いる接着剤１００は、前記実施例１乃至３で用いたものと同じもので、粘度によって接着剤１００が螺旋形状溝部６２、４３の間に溜まり、滴だれを起こすことがない。また、接着剤１００が硬化した後は、レンズ鏡筒６０がレンズ保持部４０から離れて落下し、破損したり光軸が狂うといった事故を防止することができることも前記したとおりである。
【００３６】
そしてレンズ鏡筒６０は、前記したようにレンズ保持部４０内で光軸調整に際して動かすため、レンズ鏡筒６０における環状の凹または凸形状６２の外径とレンズ保持部４０の内径との差が、この光軸調整によりレンズ鏡筒６０が動く距離以上となるよう設定されている。そのため環状の凹または凸形状６２と４３の螺旋形状部とは、レンズ鏡筒６０の光軸調整ができればその時に例え両者が接触してもよく、また、螺旋形状部４３のピッチや方向（右巻き、左巻き）は特に限定する必要はない。
【００３７】
一方、前記したようにこの実施例４のレンズ鏡筒６０には平坦部６４が設けられている。これは、もしこの平坦部６４が設けられずに環状の凹または凸形状６２のみが設けられていた場合、レンズ鏡筒６０側の接着部６２の接着が剥離すると、凹または凸形状６２が環状であるからレンズ鏡筒６０はそこで回転してしまう。このようになった場合、例えレンズ保持部４０側の接着面４３の接着が剥離しても、螺旋形状溝部４３での回転が行われず、実施例１乃至３のようにレンズ鏡筒６０をレンズ保持部４０と分離できなくなる。
【００３８】
平坦部６４はこのようなことを防止するためのものであり、この平坦部６４の存在によってレンズ鏡筒６０側の接着部６２の接着が剥離しても、レンズ鏡筒６０は回転できないから、レンズ鏡筒６０に光軸を中心とする回転力を与えると、螺旋形状溝部４３側の接着部が剥離し、実施例１乃至３のようにレンズ鏡筒６０をレンズ保持部４０から分離することができる。なお、平坦部の位置、形状は図示のものに限られないことは自明である。
【００３９】
図５は、以上述べてきたレンズ鏡筒とレンズ保持部を接着した後、レンズ鏡筒をレンズ保持部から容易に外すことができるよう、レンズ鏡筒における光軸を中心とした回転力を受けるための、回転力受け部を示した斜視図である。
【００４０】
前記した実施例１乃至４の説明において、いずれの実施例もレンズ鏡筒とレンズ保持部における螺旋形状溝部の接着を剥離することにより、螺旋形状溝部の存在でレンズ鏡筒とレンズ保持部を分離できると説明してきた。しかし、逆に螺旋形状溝部の存在で、レンズ鏡筒とレンズ保持部がしっかり接着されることも事実で、レンズ鏡筒とレンズ保持部の接着を剥離することは決して容易なことではない。
【００４１】
それを容易に行えるようにするための構造が、この図５に示した機構である。まず、図５（Ａ）は、レンズ７１を有したレンズ鏡筒７０における被写体側前面の、光軸を通る対角位置に切欠き７２を設けたもので、この切欠き７２にドライバー、または二叉となったドライバー形状の治具を差し込むにより、鏡筒７０を回転できるようにしたものである。
【００４２】
次の図５（Ｂ）は、レンズ８１を有したレンズ鏡筒８０における被写体側前面の３箇所に、孔８２を設けたもので、この孔８２に三つ叉様の治具を差し込み、鏡筒８０を回転できるようにしたものである。また図５（Ｃ）は、レンズ９１を有したレンズ鏡筒９０における被写体側側面における回転対称な位置に、ペンチなどでつかむことができるような平行部９２を設けたもので、この平行部９２をペンチなどでつかんで廻すことで、鏡筒９０を回転できるようにしたものである。
【００４３】
このようにすることにより、レンズ鏡筒は光軸を中心とした回転力をこれら回転力受け部７２、８２、９２で受け、その力でレンズ鏡筒外周側、またはレンズ保持部に設けられた螺旋形状溝部の接着剤を剥離することで、レンズ鏡筒を螺旋形状溝部によって回転させて分離することが可能となる。
【００４４】
なお、図中の切欠き７２や孔８２、平行部９２は接着強度に応じ、掴み部の著しい変形や破損が発生しないように形状や寸法を決める。例えば、図５（Ａ）では２本の切欠きを例にしているが、レンズ鏡筒の中心を基準に３本でもそれ以上でも良い。図５（Ｂ）や図５（Ｃ）の場合も同様である。また、図５（Ｃ）の例では面を６面とし、正六角形を構成して市販されている六角ソケットなどを使用可能にしてもよい。
【産業上の利用可能性】
【００４５】
本発明によれば、レンズ鏡筒とレンズ鏡筒とレンズ保持部を接着するときの接着剤の滴だれを防ぎ、また、接着後は、例え接着部が剥離してもレンズ鏡筒が保持され、容易にレンズ鏡筒とレンズ保持部とを分離させないから、レンズホルダを破損させたり光軸が狂うといった事故を防止し、かつ、螺旋形状溝部の接着を剥離させてレンズ鏡筒を回転させることで、レンズ鏡筒とレンズ保持部とを分離させることも可能であるから、種々の面で便利なレンズ保持装置とすることができる。
【図面の簡単な説明】
【００４６】
【図１】本発明になるレンズ保持装置における実施例１の概略断面図である。
【図２】本発明になるレンズ保持装置における実施例２のレンズ鏡筒の斜視図（Ａ）と、そのレンズ鏡筒を固定するレンズ保持部を備えた装置の一例の概略断面図（Ｂ）である。
【図３】本発明になるレンズ保持装置における実施例３のレンズ鏡筒の、変形例斜視図（Ａ）と、そのレンズ鏡筒を固定するレンズ保持部を備えた装置の一例の概略断面図（Ｂ）である。
【図４】本発明になるレンズ保持装置における実施例４のレンズ鏡筒の斜視図（Ａ）と、そのレンズ鏡筒を固定するレンズ保持部を備えた装置の一例の概略断面図（Ｂ）である。
【図５】本発明になるレンズ保持装置を用い、接着後にレンズ鏡筒を外す場合に容易に外すことができるように、レンズ鏡筒側に設けた機構を説明するための斜視図である。
【図６】接着剤を用い、複数のレンズ１１１を収容したレンズ鏡筒１１０をレンズ保持装置１２０に固定する従来の場合に生じる、レンズ鏡筒１１０の偏心に起因する接着剤滴だれの例を示した図である。
【符号の説明】
【００４７】
１０  レンズ鏡筒
１１  レンズ
１２  螺旋形状溝部
１３  レンズ鏡筒先端部
２０  レンズ保持部
２１  撮像素子
２２  筐体
２３  螺旋形状溝部
３０  レンズ鏡筒
３１  レンズ
３２  螺旋形状溝部
４０  レンズ保持部
４１  撮像素子
４２  筐体
４３  螺旋形状溝部
５０  レンズ鏡筒
５１  レンズ
５２  螺旋形状溝部
５３  レンズ保持部側面
６０  レンズ鏡筒
６１  レンズ
６２  溝部
６３  レンズ保持部側面
６４  廻り止め部
【図１】
2009031694.tif 000003
【図２】
2009031694.tif 000004
【図３】
2009031694.tif 000005
【図４】
2009031694.tif 000006
【図５】
2009031694.tif 000007
【図６】
2009031694.tif 000008